(57)【要約】  ボールインパクト時およびフォロースルーを通じてクラブヘッドに物理抵抗を提供するために、ボール練習領域（１０３）および抵抗領域（１２０）を含むゴルフスイング練習マット（１００）が開示される。一実施形態では、ゴルフマット（１００）は、概して長方形のゴムベース（１１０）と、ゴムベース（１１０）の上にある模倣芝材料（１１２）とを含む。模倣芝の上層（１１２）は、典型的なフェアウェイの長さに模倣された芝であり得る。マット（１００）は、ボール配置領域（１０４）の前、すなわちボール（１０２）を打った直後のフォロースルー領域において、ティー（１０３）および抵抗領域（１２０）を含み得る中央のボール配置領域（１０４）を有する。抵抗領域（１２０）のボール配置領域（１０４）、またはティー（１０３）からの間隔は可変であり得る。【選択図】図４
2021510593.tif 000002
【特許請求の範囲】
【請求項１】
人工芝生で覆われた上面を有するボール配置領域と、
第１領域を人工芝生で覆う上面と、前記上面から前記人工芝生よりも大きな距離をおいて上方に延びる複数の抵抗フィンガーを有する第２領域とを有する前記ボール配置領域に隣接して配置された抵抗領域と、を含み、
前記ボール配置領域の上面が、前記抵抗領域の上面と実質的に同一平面上にある、ゴルフスイング練習マット。
【請求項２】
前記抵抗領域が、前記ボール配置領域に対して固定された位置にある、請求項１に記載のゴルフスイング練習マット。
【請求項３】
前記抵抗領域が、前記抵抗領域の下面から前記抵抗領域の上面まで延びる複数の貫通孔を含み、前記人工芝生を貫通する、請求項１に記載のゴルフスイング練習マット。
【請求項４】
前記複数の抵抗フィンガーが、前記複数の貫通孔を通って延びる、請求項３に記載のゴルフスイング練習マット。
【請求項５】
複数の抵抗フィンガーのうちの少なくとも１つが、
前記貫通孔の直径よりも大きい直径を有するフランジベース部と、
前記貫通孔の直径よりも小さい直径を有するフランジベース部から上方に延びるフィンガー部と、を含む、請求項３に記載のゴルフスイング練習マット。
【請求項６】
前記複数の抵抗フィンガーがゴムである、請求項５のゴルフスイング練習マット。
【請求項７】
前記複数の抵抗フィンガーのうちの少なくとも１つが、前記フランジベース部を通って延びるルーメンを含む、請求項５に記載のゴルフスイング練習マット。
【請求項８】
前記複数の抵抗フィンガーのうちの少なくとも１つが、前記フランジのルーメンと前記貫通孔の両方を通って延びるフィンガー部を含む、請求項７に記載のゴルフスイング練習マット。
【請求項９】
前記ボール配置領域に近接して配置された凹部をさらに含み、前記抵抗領域が前記凹部内に移動可能に配置されている、請求項１に記載のゴルフスイング練習マット。
【請求項１０】
前記凹部が２本の平行なレールを含み、
前記抵抗領域が前記レールにスライド可能に配置されている、請求項９に記載のゴルフ練習スイングマット。
【請求項１１】
前記凹部が、前記抵抗領域の移動経路内に配置された少なくとも１つのばねをさらに含み、
前記抵抗領域が、前記レールに沿ってゴルフクラブで打たれたときに、第１近位位置から第２遠位位置に進むように構成および配置され、
前記少なくとも１つのばねが、前記第２遠位位置から前記第１近位位置まで前記抵抗領域を作動させるように構成および配置される、請求項１０に記載のゴルフ練習スイングマット。
【請求項１２】
前記複数の抵抗フィンガーの少なくとも１つが、前記人工芝生の残りの部分よりも高い高さを有する人工芝生を含む、請求項１に記載のゴルフスイング練習マット。
【請求項１３】
前記複数の抵抗フィンガーの少なくとも１つが、前記抵抗フィンガーに対して実質的に垂直に延びるフラグ部を含む、請求項１に記載のゴルフスイング練習マット。
【請求項１４】
近位ボール配置領域と、
前記ボール配置領域に近接する近位端から遠位端まで長手方向に延びる２つのレールを有する遠位凹部領域と、
前記遠位凹部にスライド可能に配置された抵抗マットであって、前記抵抗マットの上面から上方に延びる少なくとも１つの抵抗フィンガーを含む前記抵抗マットと、を含むフレームを含み、
前記近位ボール配置領域の上面と前記抵抗マットの上面は同一平面上にあり、
前記抵抗マットが、前記レールに沿って前記凹部内をスライドするように構成される、ゴルフスイング練習マット。
【請求項１５】
前記凹部の遠位端に配置されたばねのアレイをさらに含み、
前記ばねのアレイが、前記抵抗マットを第２遠位位置から第１近位位置に作動させるように構成および配置される、請求項１４に記載のゴルフスイング練習マット。
【請求項１６】
前記ばねのアレイのばねがヘリカルばねである、請求項１５に記載のゴルフスイング練習マット。
【請求項１７】
前記抵抗マットが、前記抵抗マットの下側に配置されたホイールをさらに含み、
前記ホイールが、前記レールに沿って乗るように構成および配置されている、請求項１４に記載のゴルフスイング練習マット。
【請求項１８】
前記抵抗マットが、前記抵抗マットの下側に配置された複数のＵ字型ブラケットを含み、
前記凹部のレールが、前記複数のＵ字形ブラケットを通って延びる、請求項１４に記載のゴルフスイング練習マット。
【発明の詳細な説明】
【技術分野】
【０００１】
（１）（発明の分野）：本発明は、ゴルフスイング練習装置に関するものであり、より詳細には、ゴルファーのスイングを強化し、ボールを介してクラブヘッドの速度を増加させるのに役立つ柔軟な抵抗フィンガーを有する新規な練習マット構造に関するものである。
【背景技術】
【０００２】
（２）関連技術の記載：ほとんどのゴルフ練習マットにゴルフコースの規則的なフェアウェイの芝の長さを模倣する模倣された芝材料があるので、プレーヤーは実際のライフ条件を幾分模倣する表面からボールを打つ練習をするかもしれない。これらのマットはゴルフボールを打つ感じを模倣するために有効であるが、新しいゴルファーにとって重要であるある種の筋肉増強の効果を提供しない。ゴルファーがインパクトで高いクラブヘッドスピードを出せるかどうかは、ボールとの反発と正確さにとって非常に重要である。さらに、強いスイングをするために必要な筋肉は多種多様であり、従来のエクササイズでは一般的に分離させることはできない。現在、明確な焦点を絞った目的を持ってゴルフで最強のインパクトを生み出し、打つためのインパクトトレーニングに使用される特定の筋肉群を強化することに向けられた製品はない。
【０００３】
したがって、伝統的なゴルフスキルを同時に練習しながら、改善された標的筋力強化を提供する装置および方法の本分野におけるニーズが残っている。
【発明の概要】
【課題を解決するための手段】
【０００４】
本発明は、ボールインパクト時のクラブヘッドへの物理抵抗とフォロースルーを提供することを目的とした新規なゴルフ練習マットを提供するものである。一実施形態では、ゴルフマットは、概して長方形のゴムベースと、ゴムベースの上にある模倣芝材料とを含む。模倣芝の上層は、典型的なフェアウェイの長さに模倣された芝、または芝生であり得る。マットは、ボール配置領域の前、すなわちボールを打った直後のフォロースルー領域において、ティーおよび抵抗領域を含み得る中央のボール配置領域を有する。抵抗領域のボール配置領域、またはティーからの間隔は可変であり得る。
【０００５】
抵抗領域には、マットから上方に延びる垂直に配置された複数の抵抗フィンガーを所定のパターンで設けられてもよく、これは規則的に間隔を置いたパターンであってもよいし、ランダムなパターンであってもよい。ゴムフィンガーは、中空のゴムチューブまたは固体ゴム、または他の任意のタイプの耐久性のあるエラストマー材料であり得る。フィンガーの高さおよび直径は、提供される抵抗の程度に応じて異なり得る。いくつかの実施形態では、ゴムフィンガーの領域は、ユーザの全体的な強度の増加に伴って提供される抵抗の量を変化させるために、ユーザが交換可能であり得る。
【０００６】
いくつかの実施形態では、ゴムフィンガーは、ベースフランジ部と、フランジから延びるフィンガー部とを含み得る。このようにして、フィンガーは、マットの孔を通って延び、マットの厚さによって少なくとも部分的に支持され得る。また、抵抗フィンガーは、所望に応じて抵抗を増減させるために選択的に除去され得る。さらに、この配置は、必要に応じてフィンガーを交換することも可能である。
【０００７】
使用において、マットは、ユーザが単にインパクト領域を通ってユーザのスイングを強化するために抵抗フィンガーを介してクラブをスイングすることによって、ユーザが実際にボールを打つことなく、最初に使用され得る。あるいは、ユーザは、改良されたマットの使用中に実際にボールを打ってもよい。ユーザが技術と強度の進歩に伴って、抵抗フィンガーの数を増やし、その後、中央のティーの上にゴルフボールを置き、ボールを介して、抵抗フィンガーを通じて打とうとすることを卒業し得る。その結果、インパクトおよびフォロースルーを通じて適切なクラブヘッドスピードを生み出すために必要な筋肉が強化され、強いスイングが可能になる。
【図面の簡単な説明】
【０００８】
本明細書は、本発明の特定の実施形態を特に指摘して明確にクレームする請求項で締めくくられているが、本発明の様々な実施形態は、添付の図面と併せて読めば、本発明の様々な実施形態を以下の説明から、より容易に理解され、評価されるであろう。
【０００９】
【図１】本発明のゴルフ練習マットの例示的な実施形態の平面図であり、マットおよび抵抗フィンガーがボールインパクト後のフォロースルーに抵抗を提供するように配向されている。
【００１０】
【図２】より大きな練習マットの中にインサートとして取り付けられたマットを有する、さらに別の例示的な実施形態の平面図である。
【００１１】
【図３】図１の線３−３に沿ってとられたマットの断面図である。
【００１２】
【図４】マットを使用しているゴルファーを説明する環境図である。
【００１３】
【図５】本発明の練習マットの例示的な実施形態の上面図である。
【００１４】
【図６】図５の例示的な実施形態の底面図である。
【００１５】
【図７】実施形態の抵抗フィンガー部分側面図である。
【００１６】
【図８】代替的な抵抗フィンガーの部分側面図である。
【００１７】
【図９】図８の代替的な抵抗フィンガーを含むマットの透視図である。
【００１８】
【図１０】代表的な抵抗フィンガーをさらに備えたマットの部分断面図である。
【００１９】
【図１１】移動可能な抵抗領域を有するマットの別の例示的な実施形態の上面図である。
【００２０】
【図１２】図１１のマットを線１２−１２に沿ってとった断面図である。
【００２１】
【図１３】図１１のマットの代替的な断面図である。
【発明を実施するための形態】
【００２２】
特定の例示的な実施形態は、本明細書に開示された装置および方法の構造、機能、製造、ならびに使用の原理の全体的な理解を提供するために、本明細書で説明される。これらの実施形態の１または複数の例が、添付の図面に示されている。当業者であれば、本明細書に具体的に記載され、添付の図面に図示された装置および方法は、非限定的な例示的実施形態であり、本発明の範囲は、特許請求の範囲のみによって定義されることを理解するであろう。１つの例示的な実施形態に関連して図示または説明された特徴は、他の実施形態の特徴と組み合わせてもよい。そのような改変および変形は、本開示の範囲内に含まれることが意図されている。さらに、本開示では、実施形態の同一番号の構成要素は、一般的に類似の特徴を有し、したがって、特定の実施形態内では、各同一番号の構成要素の各特徴は、必ずしも完全に精緻化されているわけではない。さらに、開示されたシステム、装置、および方法の説明において直線または円形の寸法が使用される範囲で、そのような寸法は、そのようなシステム、装置、および方法と組み合わせて使用され得る形状の種類を制限することを意図していない。当業者は、このような直線および円形の寸法に相当するものが、どのような幾何学的形状に対しても容易に決定できることを認識するであろう。さらに、上部、底部、上、または下のような方向の用語が使用される範囲で、それらは、本明細書に開示されたシステム、装置、および方法を限定することを意図していない。当業者は、これらの用語は、議論されているシステムおよび装置に対する相対的なものに過ぎず、普遍的なものではないことを認識するであろう。
【００２３】
図面を参照すると、本発明は、ボールインパクト時の直後に、フォロースルーを介してクラブヘッドに物理的な抵抗を有利に与えるゴルフ練習マットを提供する。この抵抗はゴルフボールをドライビングするときに使用される特定の筋肉群の強さを高めることでユーザを助けることの付加的な利点を提供する。このような強さが加わることで、実際のゲームプレーでのゴルフボールのドライブ距離が長くなることを意味する。
【００２４】
図１に示すように、練習マット１００は概して、長方形のゴムベース１１０と、ゴムベースを覆う模倣芝材１１２とを含み得る。図１に関してはゴムベースを説明したが、布、木材、プラスチック、または他の弾力性のある材料を含む他のベース材料を使用し得る。ベース１１０の外形および寸法は、本発明に決定的な影響を与えるものではないが、ゴルフクラブ１４０の細長いスイング軌道の関係上、長方形の形状が最も実用的な形状となる傾向がある。代替的に、ベース１１０は、それが使用される環境に最もよく適合するかもしれない任意の形状、例えば、三角形、正方形、円形、楕円形などを有し得る。上層の模倣芝１１２は、典型的なフェアウェイ長の芝であってもよいし、任意の所望の長さの芝であってもよい。以下でさらに議論されるように、マット１００は、図２に示されるように、より大きな練習マット１０６内に配置されたインサートであり得る。
【００２５】
図１を参照して、マット１００は、ボール１０２および抵抗領域（複数可）１２０を取り囲む中央のボール配置領域１０４を有し得る。中央のボール配置領域１０４は、取り外し可能なゴムティー１０３を含み得る。抵抗領域１２０は、好ましくは、ボール配置領域１０４の直前、すなわち、球１０２を打った直後のフォロースルー領域に配置される。代替的な実施形態では、抵抗領域１２０は、他の筋肉群を標的とするために、マット１００の他の領域に配置され得る。抵抗領域１２０のボール配置領域１０４からの間隔、またはティー１０３からの間隔は、後述するように、必要性および所望の抵抗効果に応じて可変であり得る。
【００２６】
抵抗領域１２０には、マット１００から所定のパターンで上方に延びる複数の垂直に配置されたゴムフィンガー、すなわち抵抗フィンガー１３０が設けられている。パターンは、各フィンガー１３０が距離「Ｓ」だけ間隔をあけて配置されたアレイのような規則的に間隔をあけたパターンであってもよいし、フィンガー１３０の間の間隔が変化するランダムなパターンであってもよい。フィンガー１３０は、中空チューブまたは固体ゴム、またはアイアンまたはウッドなどのゴルフクラブからの繰り返しの衝撃に耐えることができる他の任意のタイプの耐久性のあるエラストマー材料を含む。図３に示すように、フィンガーの高さ「Ｈ」および直径「Ｔ」は、設けられている抵抗の程度に応じて変化してもよい。しかしながら、フィンガー１３０の大きさおよび間隔は、本実施形態では実際の芝に似せることを意図していないことに留意されたい。むしろ、図３から明らかなように、フィンガーは、人工芝生１１２、または「芝」よりも著しく大きく、より広く間隔をあけている。例えば、フィンガーは、約２インチ〜約２０インチの範囲の高さ「Ｈ」を有し、約１／８インチ〜約１インチの範囲の直径「Ｔ」を有し得る。フィンガーの抵抗力は、使用するフィンガーの数、フィンガーの高さ、フィンガーの直径の関数となり得る。さらに、抵抗力は、使用される材料およびフィンガーの断面形状の関数であり得る。
【００２７】
図３を参照すると、いくつかの実施形態では、ゴムフィンガーは、ベースフランジ部１３２と、フランジ部１３２から上方に延びるフィンガー部１３０とを含み得る。図示された実施形態では、フィンガー１３０は、円形の断面形状を有し、中央ルーメンを有するか、または有していない。これに関して、フィンガー１３０は、マット１００の孔１２２を通って延びてもよく、マット１００の厚さによって少なくとも部分的に支持され得る。貫通孔１２２は、任意の人工芝生を含む上面１００ｔから下面１００ｂまでマット１００を貫通して延び得る。また、フィンガー１３０は、所望に応じて抵抗を増加または減少させるために、孔１２２を介して選択的に除去され得るようにし得る。さらに、この配置は、必要に応じてフィンガー１３０を交換することも可能である。他の実施形態では、フィンガー１３０は、マット１００に直接埋め込まれてもよいし、様々な手段によって表面に固定されてもよい。いくつかの実施形態では、フィンガー１３０は、可撓性プラスチック、硬質プラスチック、金属などを含む任意の適切な材料から形成することができ、任意の適切な断面形状を有し得る。
【００２８】
いくつかの実施形態では、図５〜７に示すように、フィンガー１３０’は、マット１００’を貫通して延びる管状のベース部１３２’、またはフランジ部を含んでもよい。いくつかの実施形態では、ベース１３２’は硬質プラスチック材料であり得、フィンガー１３０’は可撓性ゴム材料であり得る。代替的に、ベース１３２’とフィンガー１３０’は、同じ材料であってもよいし、前記した材料のいずれかであってもよい。例えば、フィンガーベース１３２’のフランジは、第１下フランジ部１３４’と、フランジ１３４’から上方に延びる管状延長部１３６’とを含み得る。下フランジ部１３４’は、フィンガー１３０’および管状延長部１３６’よりも実質的に大きい直径を有する概して円形であり得る。管状延長部１３６’は、練習マット１００’の厚さと実質的に同じ高さＨ’を有し得る。ベース１３２’は、フィンガー部１３０’が貫通して延びることができるように、フィンガー部１３０’の直径Ｄ１よりも大きい内径Ｄ２を有する貫通して延びるルーメン１３８’を含み得る。さらに、延長部１３６’は、マット１００’の抵抗領域１２０’の貫通孔の直径と実質的に同じかそれ以下の外径Ｄ３を有し得る。
【００２９】
さらに、いくつかの代替的な実施形態では、フィンガー２３０は、直立したフィンガー部２３２と、フィンガー２３０の一部、または全部、またはフィンガー２３０の上端に設けられたフラグ、またはフラップ、２３４とを含み得る。図８に示すように、代替フィンガー２３０は、フィンガー２３０の上端に配置されたフラグ部２３４を有し得る。いくつかの実施形態では、フラグ部２３４は、フラグの上端縁２３４ｔから下端縁２３４ｂまで延びるルーメン２３６を有する概して長方形の形状を有し得る。ルーメン２３６は、上端から下端に向かって孔を開けることで形成され得る。代替的に、少なくとも図８に示すように、ルーメン２３６は、フラグの近位部分をフィンガーに巻き付けることによって形成され得る。巻き付けられた部分は、ステッチ、接着剤、テープ、または他の機械的または化学的手段２３８によって、フラグの残りの部分に固定され得る。代替的な実施形態では、フラグは、任意の形状、例えば、円形、楕円形、三角形、正方形などの形状を有し得る。ルーメン２３６は、直径ＤＦを有するフィンガーを受け止めるための大きさの直径を有し得る。代替的に、フラグ２３４は、接着剤、テープ、または他の機械的または化学的な固定手段によってフィンガーに固定され得る。さらなる代替案では、フィンガー２３２およびフラグ２３４は、単一の材料片から形成され得る。図９に示すように、マット２００は、ゴルフクラブの駆動経路において同じ方向を向くように配向され得る複数のフラグ２３０を含み得る。いくつかの実施形態では、フラグ２３０は、駆動経路Ｐに対して垂直に延びるように配向され得、フラグ２３０は、ユーザに提供する抵抗を変化させるために、他の角度で配向され得る。代替的に、フラグ２３０は、すべて反対方向に配向され得、またはユーザ自身によって再配向され得る。
【００３０】
いくつかの実施形態では、フィンガー３３０は、代替的に、マット３００の残りの部分の人工芝生３１２よりも大きい長さＬＴを有する人工芝生３３２の複数の個々のグループ、またはタフトから形成され得る。グループの芝生の個々のブレードは、同じ長さを有しもよいし、複数の長さを有してもよい。
【００３１】
図２および図４を参照して、現在の練習マット１００は、ユーザ１５０が立ち上がることができるより大きなベースマット１０６に組み込むことができるように、適切な大きさであり得る（図４参照）。代替的に、練習マット１００は、任意の適切な表面に配置され、より大きなベースマット１０６を使用せずに使用され得る。
【００３２】
使用において、例えば図４に示すように、マット１００は、実際にボール１０２を打たずに、ユーザ１５０が抵抗フィンガー１３０を介してクラブ１４０を繰り返しスイングして、インパクト領域１２０を通ってユーザのスイングを強化し、フォロースルーするように最初に使用され得る。クラブ１４０は、竹製の練習クラブであってもよいし、プレー中に使用することを意図したドライバーであってもよい。最初は、ユーザ１５０は、少数の抵抗フィンガー１３０のみを採用してもよい。ユーザ１５０が技術および強度が進歩するにつれて、ユーザ１５０は、ボール１０２の前にある抵抗フィンガー１３０の数を増やし、その後、ゴルフボール１０２を中央ティー１０３上に置き、抵抗フィンガー１３０を通ってボールを打ち抜くことを試みることを卒業し得る。マット１００を使用することにより、ユーザは、インパクトにより適切なクラブヘッドスピードを発生させるために必要な筋肉を強化し、強いスイングを実現し得る。
【００３３】
代替的な実施形態では、図１１〜１３に示すように、マット４００は、移動可能な抵抗パッドを備え得る。有利には、可動抵抗板４２０の動きは、ゴルファーのドライバー、またはクラブが、天然芝生からゴルフボールを打ってディボットを取るような感触をシミュレートし得る。さらに、抵抗板４２０の動きは、クラブヘッドの跳ね返りを減少させて、使用者の関節へのストレスを減少させることができ、それによって怪我のリスクを低減し得る。
【００３４】
可動抵抗パッド４００は概して、幅Ｗと長さＬとを有することができる。図示された実施形態では、長さＬは幅Ｗよりも大きい。マットの第１の中央のボール配置領域４０４において、表面は、中央の位置にゴルフティー４０３を有する模倣人工芝４１２で覆われ得る。代替的な実施形態では、ティー４０３は、任意の適切な場所に配置され得る。マットの反対側の端部には、抵抗領域４２０が配置され得る。代替の実施形態では、抵抗領域４２０は概して、互いに実質的に平行に延び、かつマットの長さＬに平行な２本のオフセットレール４４２ａ、４４２ｂを有する高さＨを有する凹部領域４４０を含み得る。いくつかの実施形態では、レール４４２ａ、４４２ｂは、任意の乗り心地摩擦を低減するために、グリース、テフロンコーティング、または他の材料でコーティングされ得る。抵抗板４２０は、ボール配置領域４０４の近位の最遠位位置４４０ｐから凹部４４０の遠位端４４０ｄに近接する遠位位置まで、実質的に摩擦のない方法でレール４４２ａ、４４２ｂに沿って乗らせることができるように、レール４４２ａ、４４２ｂ上に配置され得る。このように、抵抗板４２０の上面４２０ｔと中央のボール配置領域の上面４１２とは、いずれも本物の芝生または人工芝生で覆われてもよい。さらに、抵抗板４２０の上面と中央のボール配置領域の上面４１２とは実質的に同一平面とし得る。抵抗板４２０の上面４２０ｔは、先行する実施形態の抵抗領域と実質的に類似していてもよい。例えば、抵抗板４２０は、前述のタイプの抵抗フィンガーまたはその組み合わせのいずれかを受け止めることができる複数の貫通孔４２２をそれぞれ含み得る。
【００３５】
いくつかの実施形態では、抵抗板４２０は、図１２に示すように、抵抗板をレール４４２ａ、４４２ｂに固定するために、下面４２０ｂから延びるＵ字形のブラケット４２４ａ、４２４ｂを有し得る。代替的に、抵抗板４２０は、レール４４２ａ’、４４２ｂ’に沿って転がるように下面４２０ｂ’上に配置された複数のホイール４２４ａ’、４２４ｂ’を有し得る。２つの代替案のいずれかにおいて、板４２０の移動に対する抵抗は、板４２０を移動させるのに必要な異なる量の力を容易にするために、増加または減少させ得る。例えば、抵抗板４２０’がホイール４２４ａ’、４２４ｂ’を含む場合、使用中に板４２０’をマットの遠位端に向かって移動させるのに必要な力の量を増減させるために、可変ブレークを含み得る。板４２０を移動させるために必要な力は、ゴルフボールを正確に飛距離を伸ばしてドライブするために必要な目標とする筋肉群をさらに発達させるために増加される。
【００３６】
凹部４４０ｄの遠位端では、ばね４４４のアレイが、ボール配置領域に面したマットの遠位壁に沿って配置され得る。図１２に示すように、アレイは、３つのヘリカルばね４４４を含むことができるが、抵抗板４２０が近位位置４４０ｐに「スプリング」または「跳ね返る」ことを可能にするために、任意の数のばねを含み得る。あるいは、ばねは他のばねであってもよい。さらに、ばねの代わりに磁石を使用し得る。例えば、磁石の第１のセットを凹部の遠位壁に配置することができ、第２のセットを抵抗板の遠位端に配置することができる。２セットの磁石は、互いに反発するように、互いに対向する同じ極性を有し得る。有利には、ばね４４４は、抵抗板４２０を凹部内の初期近位位置に戻すためのバイアス力を提供し得る。
【００３７】
使用において、マット４００は、実際にボール４０２を打たずに、ユーザが抵抗フィンガー４３０を介してクラブを繰り返しスイングして、インパクト領域を通ってユーザのスイングを強化し、フォロースルーするように最初に使用され得る。ユーザがインパクト領域４０４を通ってスイングし、抵抗板４２０を通って追従すると、抵抗板４２０はスプリング４４４に向かって遠位に移動する。抵抗板４２０は、ばねに向かって遠位方向Ｄに前進し、凹部４４０の近位領域に向かって近位方向Ｐの力を付与するようにばねを押し下げ得る。上記のように、最初は、ユーザは、少数の抵抗フィンガー４３０のみを採用してもよい。ユーザが技術および強度が進歩するにつれて、ユーザは、ボールの前にある抵抗フィンガー４３０の数を増やし、その後、ゴルフボール４０２を中央ティー４０３上に置き、抵抗フィンガー４３０を通ってボール４２０を打ち抜くことを試みることを卒業し得る。ユーザは、使用する抵抗フィンガーのタイプを変更するか、または異なるタイプのフィンガーの組み合わせを使用することを選択し得る。さらに、ユーザは、レール４４２ａ、４４２ｂに沿って移動する抵抗板４２０の抵抗を変更することを選択し得る。その結果、インパクトで適切なクラブヘッドスピードを生み出すために必要な筋肉が強化され、強いスイングが可能になる。
【００３８】
本発明の様々な実施形態を具現化した特定の構造が本明細書に示され、記載されているが、基礎となる本発明の概念の精神および範囲から逸脱することなく、部品の様々な変更および再配置が行われ得ることは、当業者には明らかであろうし、同様に、添付の特許請求の範囲によって示される限りにおいて、本明細書に示され、記載された特定の形態に限定されないことは、当業者には明らかであろう。
【図１】
2021510593.tif 000003
【図２】
2021510593.tif 000004
【図３】
2021510593.tif 000005
【図４】
2021510593.tif 000006
【図５】
2021510593.tif 000007
【図６】
2021510593.tif 000008
【図７】
2021510593.tif 000009
【図８】
2021510593.tif 000010
【図９】
2021510593.tif 000011
【図１０】
2021510593.tif 000012
【図１１】
2021510593.tif 000013
【図１２】
2021510593.tif 000014
【図１３】
2021510593.tif 000015
【国際調査報告】
2021510593.tif 000016
2021510593.tif 000017